(57)【特許請求の範囲】
【請求項１】
左右一対の縦材と両縦材の上端部をつなぐ横材とからなる足場用建枠の対向する両横材間に足場板を架け渡すと共に両縦材間にブレスを掛張して組み立てられる枠組足場の組立に使用される安全手摺であって、
両足場用建枠の対向する両縦材間に配置される手摺本体からなり、この手摺本体の下端部を、前記両縦材間に掛張されるブレスよりも足場用建枠の内側に出っ張るように形成し、この内側出っ張り部分の両側端部に、足場用建枠の縦材に固定可能なクランプを取り付け、このクランプ取付部分の上方部に、足場用建枠の横材に上方から係脱可能な係止フックを取り付けてなる安全手摺。
【請求項２】
前記手摺本体を格子枠状に形成し、その外周枠を少なくとも上部横桟と両縦桟とで形成すると共に、各縦桟の下端部を足場用建枠の内側へ屈曲させて、前記ブレスよりも足場用建枠の内側に出っ張った内側出っ張り部分を形成してなる請求項１に記載の安全手摺。
【請求項３】
前記係止フックは、手摺本体外周枠の各縦桟に上下に間隔をおいて複数取り付けるようにしてなる請求項１又は２に記載の安全手摺。
【発明の詳細な説明】
【０００１】
【発明の属する技術分野】
本発明は、建設作業現場において、左右一対の縦材と両縦材の上端部をつなぐ横材とからなる足場用建枠の前後に対向する両横材間に足場板を架け渡すと共に両縦材間に掛張して組み立てられる枠組足場の組立に使用される安全手摺に関する。
【０００２】
【従来の技術】
枠組足場は、一般に、左右一対の縦材と両縦材の上端部をつなぐ横材とからなる門形の足場用建枠を前後に一定間隔おきに対向配置して、両足場用建枠の対向する両縦材間にブレスを掛張し、両横材間に足場板を架け渡しつつ、足場用建枠を上方に継ぎ足して、順次多段状に足場を組み立ててゆくわけであるが、下段側足場用建枠の横材間に足場板を架け渡した後、足場用建枠を継ぎ足して上段側足場を組み立てる際には、その組立作業に先立って作業用の安全手摺を設置し、足場組立作業の安全を図っている。
【０００３】
【発明が解決しようとする課題】
従来の安全手摺は、上下一対の横桟と両側一対の縦桟とで形成される外周枠に複数の中桟を格子状に配設してなるもので、この安全手摺を下段側足場用建枠の縦材にパイプクランプで取り付けるわけであるが、この安全手摺の取り付けにあたっては、両足場用建枠の対向する両縦材間の若干内側寄りにブレスが掛張されていて、ブレスの内側から安全手摺を足場用建枠に取り付けることができないことから、このブレスの外側から安全手摺を足場用建枠に取り付けるようにしている。しかしながら、ブレスの外側からの安全手摺の取付作業は、ブレスが邪魔になるため作業がし難く、その作業中に手摺本体を落下させる危険性があった。
【０００４】
本発明は、上記の問題に鑑み、両足場用建枠の対向する両縦材間に掛張されたブレスに干渉されることなく、そのブレスの内側から手摺本体を足場用建枠に対し容易且つ安全に取り付けることができるようにした安全手摺を提供することを目的とする。
【０００５】
【課題を解決するための手段】
請求項１に係る発明の安全手摺は、左右一対の縦材１，１と両縦材１，１の上端部をつなぐ横材２とからなる足場用建枠４，４の対向する両横材２，２間に足場板６を架け渡すと共に両縦材１，１間にブレス５，５掛張して組み立てられる枠組足場の組立に使用される安全手摺Ｔであって、両足場用建枠４，４の対向する両縦材１，１間に配置される手摺本体７からなり、この手摺本体７の下端部を、前記両縦材１，１間に掛張されるブレス５，５よりも足場用建枠４の内側に出っ張るように形成し、この内側出っ張り部分の両側端部に、足場用建枠４の縦材１に固定可能なクランプ８を取り付け、このクランプ取付部分の上方部に、足場用建枠４の横材２に上方から係脱可能な係止フック９を取り付けてなることを特徴とする。
【０００６】
請求項２は、請求項１に記載の安全手摺において、前記手摺本体７を格子枠状に形成し、その外周枠１０を少なくとも上部横桟１１と両縦桟１３，１３とで形成すると共に、各縦桟１３の下端部を足場用建枠４の内側へ屈曲させて、前記ブレス５，５よりも足場用建枠４の内側に出っ張った内側出っ張り部分１３ａを形成してなることを特徴とする。
【０００７】
請求項３は、請求項１又は２に記載の安全手摺において、前記係止フック９は、手摺本体外周枠１０の各縦桟１３に上下に間隔をおいて複数取り付けるようにしてなることを特徴とする。
【０００８】
【発明の実施の形態】
以下に、本発明に係る安全手摺の一実施形態について、図１〜図７を参照して説明する。図１は、例えば２段目の枠組足場に本発明に係る安全手摺Ｔを設置した状態を示す斜視図、図２は安全手摺Ｔを示す拡大斜視図、図３は安全手摺Ｔの正面図、図４は安全手摺Ｔの平面図、図５は図３に示す安全手摺Ｔの左側面図である。図６の（ａ）  は図３の矢印Ａで示される部分の拡大正面図、同図の（ｂ）  は平面図、同図の（ｃ）  は左側面図であり、図７の（ａ）  は図３の矢印Ｂで示される部分の拡大正面図、同図の（ｂ）  は平面図、同図の（ｃ）  は左側面図である。
【０００９】
この安全手摺Ｔは、図１及び図２から分かるように、両足場用建枠４，４の対向する両縦材１，１間に配置される格子枠状の手摺本体７と、この手摺本体７を足場用建枠４の縦材１及び横材２に取り付けるためのクランプ８及び係止フック９とからなる。手摺本体７は、上部横桟１１、下部横桟１２及び両側一対の縦桟１３，１３によって形成される外周枠１０に、縦横の中桟１４，１５，１５を一体に組み込んで格子枠状に形成されたものである。
【００１０】
手摺本体７の外周枠１０を形成する各縦桟１３の下端部は、両足場用建枠４，４の対向する両縦材１，１間に掛張されるブレス５，５に干渉されないように、枠組足場の内側へ屈曲されて上記ブレス５より内側に出っ張って位置するように形成され（図５参照）、その屈曲部分を１３ｏで示し、この屈曲部分１３ｏから下方の内側出っ張り部分を１３ａで示す。そして、各縦桟１３下端部の内側出っ張り部分１３ａに、足場用建枠４の縦材１に固定可能なクランプ８が取り付けられ、この内側出っ張り部分１３ａの上方部に、足場用建枠４の横材２に上方から係脱可能な係止フック９が取り付けられる。尚、手摺本体７の下部横桟１２は、両縦桟１３，１３の内側出っ張り部分１３ａ，１３ａの下端部間に架け渡されている。
【００１１】
両足場用建枠４，４の対向する両縦材１，１間に掛張されるブレス５，５は、図１及び図５から分かるように、足場用建枠４の縦材１の内側面に突設された係止用ピン１６にブレス端部のピン孔（図示省略）を挿通させて係止するようになっているから、このブレス５は足場用建枠４の縦材１より内側に位置し、そして足場用建枠４，４の縦材１，１間に配置される手摺本体７は、図５に示すように下端部の内側出っ張り部分１３ａのみが上記ブレス５，５よりも内側に位置し、この内側出っ張り部分１３ａよりも上方にある縦桟部分は足場用建枠４，４の縦材１，１間に収まった状態となっている。
【００１２】
手摺本体７を足場用建枠４の縦材１に取り付けるためのクランプ８は、周知のパイプクランプからなるもので、図６の（ａ）  〜（ｃ）  及び図１０の（ａ）  に示すように、クランプ本体１７に連結部材１８を介して連結されたコ字形の取付金具１９を、手摺本体外周枠１０の縦桟１３下端部の内側出っ張り部分１３ａにガイドボルト２０及びロックボルト２１によって取り付け固定し、クランプ本体１７とこれに開閉自在に枢着されたクランプアーム２２とで足場用建枠４の縦材１を抱持し、揺動可能な締付用ボルト２３によって固定するようになっている。上記ガイドボルト２０は、縦桟１３の内側出っ張り部分１３ａを直径方向に貫通して取付金具１９のガイド孔（長孔）１９ａに挿通されたボルトで、図６の（ａ）  及び（ｃ）の実線図示位置と仮想線図示位置との間で取付金具１９の取付位置を調整できるようにしている。またロックボルト２１は内側出っ張り部分１３ａの所要位置で取付金具１９を締め付けて固定するものである。
【００１３】
足場用建枠４の横材２に対し上方から係脱可能に係止される係止フック９は、図２及び図７の（ａ）  〜（ｃ）  から分かるように、縦桟１３の下端部側で屈曲部分１３ｏよりも上方部に上下２段に設けられていて、２種類の手摺高さを選択できるようになっている。即ち、下段側の係止フック９を足場用建枠４の横材２に係止する時は、上段側の係止フック９を横材２に係止する時よりも手摺高さが高くなる。この実施形態では、係止フック９を上下２段に設けているが、３段以上設けることもできる。
【００１４】
上記のように構成される安全手摺Ｔの使用方法について説明すると、先ず、図１に示すように、一対の足場用建枠４，４を対向配置して、両足場用建枠４，４の対向する縦材１，１間にブレス５，５を掛張し、両横材２，２間に足場板６を架け渡すことによって、１段目足場を組み立て、この１段目足場の上に同様な方法で２段目足場を組み立てる。しかして、この２段目足場の両足場用建枠４，４の対向する横材２，２に、手摺本体７の両縦桟１３，１３の下端部側に取り付けてある係止フック９，９を係止し、これら係止フック９の下方にある内側出っ張り部分１３ａ，１３ａに取り付けてあるクランプ８，８を縦材１，１の上端部側に固定して、図示のように２段目足場の上端部に３段目足場組立用の安全手摺Ｔを設置する。尚、図１には、安全手摺Ｔは、図面の表示が複雑となる関係上、足場の手前側にのみ設置した状態を示しているが、実際には足場の奥側にも同様に設置する。また、この実施形態では、安全手摺Ｔは、２段目の足場から設置するようにしているが、１段目の足場から設置してもよい。
【００１５】
この安全手摺Ｔの設置にあたって、手摺本体７の両側下端部に取り付けたクランプ８，８を縦材１，１の上端部側に固定するのに、従来の安全手摺Ｔではブレス５，５の取付部が邪魔になって、ブレス５，５の外側からしか取付作業を行えなかったものを、この安全手摺Ｔでは手摺本体７の外周枠１０を形成する各縦桟１３の下端部がブレス５，５に干渉されないよう枠組足場の内側へ屈曲されてブレス５，５より内側に出っ張って位置する内側出っ張り部分１３ａを形成しているため、手摺本体７をブレス５，５の内側に配して、ブレス５，５の内側からの作業により、係止フック９，９を足場用建枠４，４の横材２，２に係止できると共に、クランプ８，８を縦材１，１に取付固定することができる。
【００１６】
このように足場用建枠４，４の縦材１，１間に掛張されたブレス５，５の内側から安全手摺Ｔの取付作業を行えるから、作業がし易い上、その作業中に手摺本体７を落下させる危険性が少なく、作業の安全を図ることができる。また、この安全手摺Ｔによれば、手摺本体７下端部の内側出っ張り部分１３ａに取り付けたクランプ８，８を足場用建枠４，４の縦材１，１に固定すると共に、内側出っ張り部分１３ａの上方部に取り付けた係止フック９，９を足場用建枠４，４の横材２，２に係止させるようにするから、手摺本体７を足場用建枠４，４に対し安定状態に設置できると共に、係止フック９は横材２に対し上方から係止させるだけでよいため設置作業を迅速容易に行うことができる。
【００１７】
上記のようにして２段目足場の上端部に３段目足場組立用の安全手摺Ｔを設置したことにより、３段目足場の組立作業、即ち２段目の足場用建枠４に３段目の足場用建枠４を継ぎ足す作業、この継ぎ足した足場用建枠４，４の縦材１，１間にブレス５，５を掛張する作業、及び横材２，２間に足場板６を架け渡す作業を安全に行うことができる。こうして３段目足場の組立作業を終えたならば、各クランプ８を解放操作して足場用建枠４の縦材１から取り外し、各係止フック９を横材２から離脱することによって、３段目足場から安全手摺Ｔを取り外し、そしてこの取り外した安全手摺Ｔを４段目足場の組立用として３段目足場の上端部に前記同様な方法で設置する。その後、４段目足場の組立作業を行い、以降は同様な作業を繰り返し行い、下段側足場の上端部に上段側足場の組立に先行して安全手摺Ｔを設置しながら、順次多段状に足場を組み立ててゆく。
【００１８】
上記安全手摺Ｔの使用においては、足場から安全手摺Ｔを取り外す時にも、足場用建枠４，４の縦材１，１間に掛張されたブレス５，５の内側から安全手摺Ｔの取外し作業を行えるから、その取外し作業がし易く、また取外し作業を安全に行うことができる。
【００１９】
以上説明した実施形態では、安全手摺Ｔの手摺本体７を格子枠状に形成し、即ち上部横桟１１、下部横桟１２及び両側一対の縦桟１３，１３によって形成される外周枠１０に縦横の中桟１４，１５，１５を一体に組み込んで格子枠状に形成し、その外周枠１０の各縦桟１３の下端部を足場用建枠４の内側へ屈曲させることによって、手摺本体７の下端部に内側出っ張り部分１３ａを形成しているが、手摺本体７をプレート状に形成して、その下端部を内側に出っ張らせて内側出っ張り部分とし、その両端部にクランプ８，８を取り付けるようにしてもよい。しかしながら、手摺本体７をこの実施形態のような上記構成とすることによって、構造が極めて簡素で十分な強度を有しながら、安価に製作することができる。
【００２０】
【発明の効果】
請求項１に係る発明の安全手摺は、手摺本体の下端部を、両足場用建枠間の縦材間に掛張されるブレスよりも足場用建枠の内側に出っ張るように形成し、この内側出っ張り部分の両側端部に、足場用建枠の縦材に固定可能なクランプを取り付け、この出っ張り部分の上方部に係止フックを取り付けてなるものであって、この安全手摺の設置に際し、クランプを縦材の上端部側に固定するのに、クランプの取付部分がブレスの邪魔にならないため、手摺本体をブレスの内側に配して、ブレスの内側から手摺本体の取付作業を行うことができる。即ち、係止部材を足場用建枠の横材に係止できると共に、クランプを縦材に取付固定することができる。
【００２１】
このように足場用建枠の縦材間に掛張されたブレスの内側から安全手摺の取付作業を行えるから、作業がし易い上に、その作業中に手摺本体を落下させる危険性が少なく、作業の安全を図ることができる。また、この安全手摺によれば、手摺本体を足場用建枠に固定するのに、クランプの他に、係止フック取付部分の上方部に取り付けた係止フックを足場用建枠の横材に係止させるようにするから、手摺本体を足場用建枠に対し安定状態に設置できると共に、係止フックは横材に対し上方から係止させるだけでよいため安全手摺の設置作業を迅速容易に行うことができる。
【００２２】
また、上記のような安全手摺の設置時のみならず、手摺本体を足場用建枠から取り外す際にも、足場用建枠の縦材間に掛張されたブレスの内側から取外し作業を行えるから、その取外し作業がし易く、また安全に行うことができる。
【００２３】
請求項２に記載のように、手摺本体を格子枠状に形成し、その外周枠を少なくとも上部横桟と両縦桟とで形成すると共に、各縦桟の下端部を足場用建枠の内側へ屈曲させて、手摺本体の下端部に内側出っ張り部分を形成するようにすれば、構造が極めて簡素で十分な強度を有しながら、安価に製作することができる。
【００２４】
請求項３に記載のように、手摺本体外周枠の各縦桟に取り付けられる係止フックを、上下に間隔をおいて複数個取り付けることによって、設置される安全手摺の高さの選択が可能となる。
【図面の簡単な説明】
【図１】本発明に係る安全手摺を設置した状態を示す斜視図である。
【図２】同上の安全手摺の拡大斜視図である。
【図３】同上の安全手摺の正面図である。
【図４】同上の安全手摺の平面図である。
【図５】図３に示す安全手摺の左側面図である。
【図６】（ａ）  は図３の矢印Ａで示される部分の拡大正面図、（ｂ）  は平面図、（ｃ）  は左側面図である。
【図７】（ａ）  は図３の矢印Ｂで示される部分の拡大正面図、（ｂ）  は平面図、（ｃ）  は左側面図である。
【符号の説明】
１              足場用建枠の縦材
２              足場用建枠の横材
４              足場用建枠
５              ブレス
６              足場板
Ｔ              安全手摺
７              手摺本体
８              クランプ
９              係止フック
１０            手摺本体の外周枠
１３            外周枠の縦桟
１３ａ          縦桟下端部の内側出っ張り部分
【図１】
0003564404.tif 000002
【図２】
0003564404.tif 000003
【図３】
0003564404.tif 000004
【図４】
0003564404.tif 000005
【図５】
0003564404.tif 000006
【図６】
0003564404.tif 000007
【図７】
0003564404.tif 000008